(57)【要約】【課題】ワイヤホルダーを用いることなく、液晶テレビジョン受信装置内部の回路基板間を結ぶハーネスを確実に固定することが可能で、経年変化に対しても高い信頼性を備えた画像表示装置及びテレビジョン受信装置を提供する。【解決手段】映像を表示する表示パネルの周囲に配置される枠型の前キャビネット１と、該前キャビネット１の後側に配置される箱型の後キャビネット４と、前記表示パネルに光を照射する複数の光源が固定された矩形状基板を箱型の筐体に収納してあり、前記後キャビネットに収容された光源モジュール２ｂと、前記光源モジュール２ｂの後側と前記後キャビネット４の内側との間に収容された複数の回路基板３と、該複数の回路基板３を電気的に接続する配線とを備える画像表示装置において、前記光源モジュール２ｂの後側の表面に、前記配線を掛止する掛止部を形成する。【選択図】図１
2013130830.tif 000002
【特許請求の範囲】
【請求項１】
映像を表示する表示パネルの周囲に配置される枠型の前キャビネットと、
該前キャビネットの後側に配置される箱型の後キャビネットと、
前記表示パネルに光を照射する複数の光源が固定された矩形状基板を箱型の筐体に収納してあり、前記後キャビネットに収容された光源モジュールと、
前記光源モジュールの後側と前記後キャビネットの内側との間に収容された複数の回路基板と、
該複数の回路基板を電気的に接続する配線と
を備える画像表示装置において、
前記光源モジュールの後側の表面に、前記配線を掛止する掛止部を形成してあること
を特徴とする画像表示装置。
【請求項２】
前記掛止部は、前記光源モジュールの筐体の一部を短冊形状に切り起こして形成してあること
を特徴とする請求項１に記載の画像表示装置。
【請求項３】
前記後キャビネットの後側内面より突出する遮光部を更に備え、
該遮光部は、前記掛止部の端部と前記光源モジュールの筐体表面との隙間に嵌合するようにしてあること
を特徴とする請求項２に記載の画像表示装置。
【請求項４】
前記後キャビネットの後側内面より突出する第２遮光部を更に備え、
該第２遮光部は、前記掛止部の長手方向側面と前記光源モジュールの筐体表面との隙間を覆うようにしてあること
を特徴とする請求項２又は３に記載の画像表示装置。
【請求項５】
前記第２遮光部は、前記配線と接触しない突出長としてあること
を特徴とする請求項４に記載の画像表示装置。
【請求項６】
請求項１から請求項５までのいずれか一項に記載の画像表示装置と、
テレビジョン放送を受信する受信部と
を備え、
該受信部にて受信したテレビジョン放送に基づいて、前記画像表示装置に画像を表示するようにしてあること
を特徴とするテレビジョン受信装置。
【発明の詳細な説明】
【技術分野】
【０００１】
本発明は、液晶パネル等の表示パネルを画像表示部として備える画像表示装置、及びテレビジョン受信装置に関する。
【背景技術】
【０００２】
液晶パネルモジュールを画像表示部として備える液晶表示装置は、薄形で軽量である上、消費電力が小さいことから、近年、テレビジョン受信装置、コンピュータ及び携帯端末用の画像表示装置として広く採用されている。
液晶パネルモジュールは、画像が表示される液晶パネル、液晶パネルに光を供給する光源モジュール、光源モジュールを駆動するための回路基板などを、一面に開口部を持つ箱型のシャーシ（バックライトシャーシ）に収めたものである。液晶パネルモジュールにおいて、液晶パネルの露出している面が前面であり、表示面となる。
【０００３】
液晶表示装置を備えたテレビジョン受信装置において、液晶パネルモジュールの後面には、複数の回路基板が取り付けられている。これら、複数の回路基板間を電気的に結ぶ配線として、複数のケーブルを束ねたワイヤハーネス（以下、「ハーネス」と略記する）が用いられている。ハーネスは、機械固定式のワイヤホルダーや両面テープ貼付式のワイヤホルダーが用いられ、液晶パネルモジュール後側のシャーシ（バックライトシャーシ）に、固定される。
【０００４】
特許文献１には、液晶テレビジョン受信装置のフロントキャビネットに複数のリブをジグザグ状に設け、ハーネスを固定することが記載されている。ハーネスを前記リブに巻き付けるように配線し、リアキャビネットに設けた前記リブに嵌合する凹部と前記リブとを係合することにより、ハーネスが固定されることが記載されている。
【先行技術文献】
【特許文献】
【０００５】
【特許文献１】特開２００５−１３００９７号公報
【発明の概要】
【発明が解決しようとする課題】
【０００６】
しかしながら、特許文献１に記載されたものは、ハーネスを固定するリブがフロントキャビネットに、該リブと係合する凹部がリアキャビネットに設けられている。そのため、フロントキャビネット及びリアキャビネットが係合する部分、すなわち液晶テレビジョン受信装置の外周付近に配線されるハーネスの固定にしか用いることができない。特許文献１に示されているリブは、キャビネットのように射出成形にて形成されるものには設けることは容易であるが、バックライトシャーシのように金属で形成されるものには設けることが困難だからである。従って、バックライトシャーシの後面を通る回路基板間を結ぶハーネスの固定には、特許文献１に示されているリブを採用できない。
【０００７】
一方、従来の機械固定式のワイヤホルダーは、固定用の突起が設けられており、バックライトシャーシに設けた穴に突起を差し込むことにより、バックライトシャーシに固定するものである。機械固定式のワイヤホルダーを採用した場合、ワイヤホルダーの突起部がバックライトシャーシ内部まで進入する。そのため、液晶パネルモジュールにある程度の厚みが必要となり、薄型の液晶テレビジョン受信装置の更なる薄型化に答えにくい状況となっている。
一方、両面テープ貼付式のワイヤホルダーは、バックライトシャーシに直接貼り付けることが可能であるため、表示パネルモジュールの厚みを考慮しなくても良いという利点がある。しかし、両面テープ貼付式のワイヤホルダーは、経年変化により両面テープの糊が変質し剥がれることがあるため、機械固定式のワイヤホルダーに比べて、長期信頼性に劣る点を考慮しなくてはならない。
また、ワイヤホルダーは数箇所に設置されるため、製品全体のコストに占める割合は小さくはなく、コスト削減のために使用点数の削減が求められている。
【０００８】
本発明は、上述のごとき事情に鑑みてなされたものであり、ワイヤホルダーを用いることなく、液晶テレビジョン受信装置内部の回路基板間を結ぶハーネスを確実に固定することが可能で、長期信頼性を備えた画像表示装置等を提供することを目的とする。
【課題を解決するための手段】
【０００９】
本発明に係る画像表示装置は、映像を表示する表示パネルの周囲に配置される枠型の前キャビネットと、該前キャビネットの後側に配置される箱型の後キャビネットと、前記表示パネルに光を照射する複数の光源が固定された矩形状基板を箱型の筐体に収納してあり、前記後キャビネットに収容された光源モジュールと、前記光源モジュールの後側と前記後キャビネットの内側との間に収容された複数の回路基板と、該複数の回路基板を電気的に接続する配線とを備える画像表示装置において、前記光源モジュールの後側の表面に、前記配線を掛止する掛止部を形成してあることを特徴とする。
【００１０】
本発明にあっては、光源モジュールにケーブルを掛止する掛止部を形成したことにより、回路基板間を電気的に繋ぐ線材を、ワイヤホルダーを用いることなく確実に固定することが可能となり、コスト削減が図れる。また、長期信頼性を備えることとなる。
【００１１】
本発明に係る画像表示装置は、前記掛止部は、前記光源モジュールの筐体の一部を短冊形状に切り起こして形成してあることを特徴とする。
【００１２】
本発明にあっては、光源モジュールの筐体の一部を短冊状に切り起こして掛止部を形成する。このような掛止部は、筐体をプレス加工の際に、同時に形成することができるので、軽微なコストアップで掛止部を形成することが可能となる。
【００１３】
本発明に係る画像表示装置は、前記後キャビネットの後側内面より突出する遮光部を更に備え、該遮光部は、前記掛止部の端部と前記光源モジュールの筐体表面との隙間に嵌合するようにしてあることを特徴とする。
【００１４】
本発明にあっては、掛止部の端部と光源モジュール筐体表面との隙間に嵌合する遮光部を後キャビネットに形成することにより、掛止部を形成したことにより生じた隙間から、漏れる光源モジュールの光を低減することが可能となる。
【００１５】
本発明に係る画像表示装置は、前記後キャビネットの後側内面より突出する第２遮光部を更に備え、該第２遮光部は、前記掛止部の長手方向側面と前記光源モジュールの筐体表面との隙間を覆うようにしてあることを特徴とする。
【００１６】
本発明にあっては、掛止部の長手方向側面と光源モジュール筐体表面との隙間を覆うようにしてある第２遮光部を後キャビネットに形成することにより、掛止部を形成したことにより生じた隙間から、漏れる光源モジュールの光を低減することが可能となる。
【００１７】
本発明に係る画像表示装置は、前記第２遮光部は、前記配線と接触しない突出長としてあることを特徴とする。
【００１８】
本発明にあっては、掛止部の長手方向と直角な方向に配線が通っている。一方、掛止部を形成したことにより生じた隙間から、漏れる光源モジュールの光を低減する目的で形成されている第２遮光部は掛止部の長手方向と平行である。そのため、第２遮光部の先端を配線が横切ることとなる。そこで、第２遮光部の突出長を、前キャビネット及び後キャビネットが結合した際に、配線と接触しない長さとすることにより、配線に損傷を与えることなく、漏れる光を低減することが可能となる。
【００１９】
本発明に係るテレビジョン受信装置は、上述の画像表示装置と、テレビジョン放送を受信する受信部とを備え、該受信部にて受信したテレビジョン放送に基づいて、前記画像表示装置に画像を表示するようにしてあることを特徴とする。
【００２０】
本発明にあっては、光源モジュールに配線を掛止する掛止部を形成したことにより、回路基板間を電気的に繋ぐ配線を、ワイヤホルダーを用いることなく確実に固定することが可能となり、コスト削減が図れる。また、長期信頼性を備えることとなる。
【発明の効果】
【００２１】
本発明にあっては、光源モジュールに配線を掛止する掛止部を形成したことにより、回路基板間を電気的に繋ぐ配線を、ワイヤホルダーを用いることなく確実に固定することが可能となり、コスト削減が図れる。また、長期信頼性を備えることとなる。
【図面の簡単な説明】
【００２２】
【図１】実施の形態１に係るテレビジョン受信装置の一構成例を示す概略分解斜視図である。
【図２】実施の形態１に係るテレビジョン受信装置の液晶パネルモジュール及び回路基板を背面側から見た概略図である。
【図３】実施の形態１に係るテレビジョン受信装置の前キャビネットに液晶パネルモジュール、回路基板を取り付けた状態の一部を拡大して示す側面図である。
【図４】実施の形態１に係るテレビジョン受信装置のバックライトシャーシに形成された爪部近傍の部分拡大斜視図である。
【図５】実施の形態２に係るテレビジョン受信装置の後キャビネットに設けたリブ近傍の部分拡大斜視図である。
【図６】実施の形態２に係るテレビジョン受信装置の爪部と後キャビネットに設けたリブとの関係を示す部分拡大斜視図である。
【図７】実施の形態２に係るテレビジョン受信装置の前キャビネットと後キャビネットとが組み合わされた場合の、リブの状態を示す部分拡大斜視図である。
【図８】図６のＡ−Ａ線による断面図及び図７のＢ−Ｂ線による断面図である。
【図９】実施の形態３に係るテレビジョン受信装置のバックライトシャーシに形成された爪部を拡大した断面斜視図である。
【発明を実施するための形態】
【００２３】
以下に、本発明の実施の形態に係る画像表示装置を、テレビジョン受信装置を例として説明する。
実施の形態１
図１は、実施の形態１に係るテレビジョン受信装置の一構成例を示す概略分解斜視図である。本図に示すようにテレビジョン受信装置は、前キャビネット１、液晶パネルモジュール２、複数の回路基板３、及び後キャビネット４を備えている。
【００２４】
液晶パネルモジュール２は、筐体となるバックライトシャーシ２ａ、光を供給する光源モジュール２ｂ、矩形状の液晶パネルや反射シート等の表示パネル２ｃを含む。バックライトシャーシ２ａは、一面に開口部を持つ箱型の筐体である。バックライトシャーシ２ａは、鋼板等の金属で形成される。バックライトシャーシ２ａに表示パネル２ｃ及び光源モジュール２ｂを収納し、液晶パネルモジュール２が形成される。液晶パネルモジュール２は、液晶への印加電圧を制御して光の透過率を調整し、映像を一面に表示するように構成されている。光源モジュールに含まれる光源は、例えば、ＬＥＤ（Light Emitting Diode）である。
【００２５】
回路基板３は、チューナ基板（受信部）、画像処理基板、音声処理基板、電源基板等からなる。チューナ基板は、テレビジョン放送を受信し、放送信号を取り出す。画像処理基板は、放送信号から画像情報を取り出し、取り出した画像情報を基に、液晶パネルモジュール２に画像を表示させる。音声処理基板は放送信号から音声情報を取り出し、取り出した音声情報を図示しないスピーカユニットより出力させる。電源基板は、所定電圧の電力をテレビジョン受信装置の各部に供給する。
【００２６】
液晶パネルモジュール２は枠型の前キャビネット１に取り付ける。液晶モジュール２の後面に回路基板３を収め、前キャビネット１に後キャビネット４を組み付ける。
【００２７】
図２は、実施の形態１に係るテレビジョン受信装置の液晶パネルモジュール２及び回路基板３を背面側から見た概略図である。図３は、実施の形態１に係るテレビジョン受信装置の前キャビネット１に液晶パネルモジュール２、回路基板３を取り付けた状態の一部を拡大して示す側面図である。前キャビネット１内部に液晶パネルモジュール２が取り付けられ、その背面側に各種回路基板３が取り付けられている。回路基板３間を電気的に接続するハーネス３ａ（配線）の一部は、液晶パネルモジュール２の後側筐体であるバックライトシャーシ２ａに形成された爪部５（掛止部）により固定されている。
【００２８】
図４は、実施の形態１に係るテレビジョン受信装置のバックライトシャーシ２ａに形成された爪部５近傍の部分拡大斜視図である。爪部５はバックライトシャーシ２ａの一部を短冊形状に切り起こし、形成してある。爪部５は、根元から斜めに立ち上がり、次にバックライトシャーシ２ａと平行に伸び、さらにバックライトシャーシ側に折り返す形状にしてある。爪部５の下側に形成される空間は略台形状であり、該空間をハーネス３ａが通っている。
【００２９】
バックライトシャーシ２ａは、例えば鋼板などの剛性の高い金属により構成されているので、爪部５は弾性があまりない。そのため、爪部５をたわませてハーネス３ａを爪部５に掛止することは困難である。そこで、ハーネス３ａの取り付けは、次のように行う。爪部５の端部とバックライトシャーシ２ａの隙間からハーネス３ａをたるませるように差し込み、爪部５にハーネスを通す。爪部にハーネスが通ったら、たるませているハーネスを引っ張り、たるみを取る。以上の工程により、爪部５にハーネス３ａを掛止する。
【００３０】
本実施の形態において、爪部５の端部を折り返すことにより、組み立ての際、テレビジョン受信装置をどのような方向に設置しても、ハーネス３ａを爪部５で確実に固定することが可能である。爪部５の折り返されている端部により、固定されたハーネス３ａが爪部５から抜け出ることを防止するからである。
【００３１】
上述したように、本実施の形態において、ハーネス３ａを固定する爪部５をバックライトシャーシ２ａの一部を短冊状に切り起こして形成してあるので、ワイヤホルダーを用いることなく、ハーネス３ａを確実に固定することができる。また、バックライトシャーシ２ａは鋼板等の金属素材で形成してあるので、長期信頼性を備えることが可能となる。
さらに、爪部５は、バックライトシャーシ２ａをプレス加工する際に形成することが可能であるので、コストに対する影響も少ないという利点がある。
【００３２】
実施の形態２
図５は、実施の形態２に係るテレビジョン受信装置の後キャビネット４に設けたリブ６近傍の部分拡大斜視図である。図６は、実施の形態２に係るテレビジョン受信装置の爪部５と後キャビネット４に設けたリブ６との関係を示す部分拡大斜視図である。図７は、実施の形態２に係るテレビジョン受信装置の前キャビネット１と後キャビネット４とが組み合わされた場合の、リブ６の状態を示す部分拡大斜視図である。図８は、図６のＡ−Ａ線による断面図及び図７のＢ−Ｂ線による断面図である。
【００３３】
リブ６は、所定の幅をおいて対向するリブ６ｂ（第２遮光部）と、リブ６ｂの片側端部から垂直に延びるリブ６ａ（遮光部）からなる。リブ６ａの突出長は、リブ６ｂの突出長よりも大きくなっている。
【００３４】
リブ６ａは、端面が略矩形状である。リブ６ａの端面の寸法は、バックライトシャーシ２ａと爪部５の端部とで形成された略矩形状の隙間の断面と、ほぼ同一寸法としてある。リブ６ａの突出長は、後キャビネット４と前キャビネット１とが結合された場合に、リブ６ａの端部が、バックライトシャーシ２ａの内部にわずかに入り込む程度の長さとなっている。入り込む程度の長さは、テレビジョン受信装置の構造によって適宜定める。例えば、５ｍｍから２ｃｍ程度である。リブ６ａは、バックライトシャーシ２ａと爪部５の端部とで形成された略矩形状の隙間に差し込まれる。隙間はリブ６ａにより埋められ、光源モジュール２ｂの光が漏れることを防ぐことが可能となる。また、リブ６ａにより、爪部５よりハーネス３ａから外れることを防ぐことが可能となる。
なお、バックライトシャーシ２ａと爪部５の端部とで形成された略矩形状の隙間にリブ６ａを嵌合させるためには、リブ６及び爪部５の加工精度、並びにバックライトシャーシ２ａ及び後キャビネット４の組立て精度が必要となる。リブ６ａの寸法を、バックライトシャーシ２ａと爪部５の端部とで形成された略矩形状の隙間より大きくし、隙間を覆うようにしても良い。この場合、リブ６ａの内部には進入せず、バックライトシャーシ２ａの表面と当たり接触する構造となる。
【００３５】
リブ６ｂは、断面が略矩形状であり、２枚の板状部材を備える。それぞれの板状部材の寸法は略同一である。板状部材の端面形状は、爪部５の長手方向とバックライトシャーシ２ａとの隙間と略同一としてある。リブ６ｂは爪部５の両側面を挟むように爪部５と嵌合し、爪部５の長手方向側面とバックライトシャーシ２ａとの隙間を覆う。リブ６ｂの突出長は、後キャビネット４と前キャビネット１とが結合された場合に、リブ６ｂの端面と爪部５を通るハーネス３ａの上面とが略面一となるような長さとしてある。リブ６ｂによりハーネス３ａを傷つけてしまうことを防ぐためである。リブ６ｂにより、爪部５の長手方向側面とバックライトシャーシ２ａとの隙間を覆われるので、隙間からの後方に漏れる光の量を減らすことが可能となる。
このように、リブ６ａは、爪部５の端部とバックライトシャーシ２ａとの隙間を埋める又は覆う。リブ６ｂは、爪部５の長手方向側面とバックライトシャーシ２ａとの隙間を覆う。
なお、リブ６ｂにハーネス３ａを通すための凹部を設けることにより、リブ６ｂが爪部５の長手方向側面とバックライトシャーシ２ａとの隙間に進入又は隙間を覆うようにしても良い。凹部を形成するためのコストが発生するが、漏れる光を更に低減することが可能となる。
【００３６】
上述したように、本実施の形態においては、実施の形態１で述べた効果に加えて、次の効果を奏する。後キャビネット４にリブ６を形成することにより、バックライトシャーシ２ａに爪部５を形成したことによる穴をリブ６が埋める、又は覆うようにしてある。バックライトシャーシ２ａから光源モジュール２ｂの光漏れを防ぐ、又は漏れる光の量を減らすことが可能となるため、ユーザに故障などの不安を抱かせる光漏れの量を減らすことが可能となる。また、リブ６ａにより、爪部５からハーネス３ａが外れることを防ぐことが可能となる。
さらに、後キャビネット４を射出成形により形成する場合、リブ６も同時に成形することができるので、リブ６を成形するコストは、軽微なものとすることが可能である。
【００３７】
実施の形態３
上述の実施の形態１及び２において、爪部５の端部は曲げるようにしてある。組立て途中で爪部５に引っ掛けたハーネスが、爪部５より外れることを防ぐためである。
図９は、実施の形態３に係るテレビジョン受信装置のバックライトシャーシ２ａに形成された爪部５１を拡大した断面斜視図である。実施の形態１及び２の爪部５と同様にバックライトシャーシ２ａの一部を切り起こして、爪部５１を形成している。端部を折り曲げていない点を除いて、実施の形態１及び２の爪部５と同様であるので、ここでは主として相違する点について述べる。
【００３８】
爪部５１は、バックライトシャーシ２ａの一部を短冊形状に切り起こし、形成してある。爪部５１は、根元から斜めに立ち上がり、次にバックライトシャーシ２ａと平行に伸びている。爪部５１の下側に形成される空間は略台形状である。
【００３９】
爪部５１は、根元がテレビジョン受信装置の下方側で、開口部がテレビジョン受信装置の上方側となっている。また、爪部５１とバックライトシャーシ２ａ表面との間隔は、ハーネス３ａを通すために十分な距離となっている。従って、テレビジョン受信装置を縦置きして組み立てる製品の場合に、ハーネス３ａを容易に爪部５１に掛け止めることが可能である。ただし、テレビジョン受信装置を縦置きして組み立てる製品の場合には、爪部５１に掛け止めたハーネス３ａが抜けやすいので、その点の考慮が必要である。
【００４０】
なお、後キャビネット４に設けるリブ６は、実施の形態２と同様であるので、説明及び図示は省略する。
【００４１】
上述したように、本実施の形態においても、実施の形態１及び２と同様な効果を奏する。
【００４２】
実施の形態１から３において、爪部５又は爪部５１は、開口部がテレビジョン受信装置の上方向となるよう、形成してある。固定するハーネスが水平方向に通っているからである。ハーネスが鉛直方向に通る場合においては、爪部５又は爪部５１を、右又は左に９０度回転させた形状の爪部５又は爪部５１、すなわち開口部が右側又は左側の爪部５又は爪部５１を形成すれば良い。
また、ハーネスが斜めに通る場合においては、その角度に応じて縦向き又は横向きの爪部５又は爪部５１、若しくはハーネスが通る方向に合わせて、適宜、爪部５又は爪部５１を形成すれば良い。
【００４３】
さらにまた、ハーネスを掛止するためのものとして、爪形状のものを示したが、それに限られない。断面が台形、円形又は矩形の管状のものを形成してもよい。
【００４４】
一方、表示パネルとして液晶パネルを備えたテレビジョン受信装置としたが、それに限られず、プラズマディスプレイパネル、有機ＥＬパネル等の他の表示パネルを備えるテレビジョン受信装置においても適用可能である。
【００４５】
なお、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００４６】
１  前キャビネット
２  液晶パネルモジュール
２ａ  バックライトシャーシ
２ｂ  光源モジュール
２ｃ  表示パネル
３  回路基板
３ａ  ワイヤハーネス（ハーネス）
４  後キャビネット
５、５１  爪部
６、６ａ、６ｂ  リブ
【図１】
2013130830.tif 000003
【図２】
2013130830.tif 000004
【図３】
2013130830.tif 000005
【図４】
2013130830.tif 000006
【図５】
2013130830.tif 000007
【図６】
2013130830.tif 000008
【図７】
2013130830.tif 000009
【図８】
2013130830.tif 000010
【図９】
2013130830.tif 000011